(57)【要約】【課題】棚板をかご台車の枠部に任意の高さで取り付けることのできる取付具を提供する。【解決手段】  かご台車の枠部に掛止する掛止片１１ａが設けられた頭部１１と、棚板に設けられた係止片が係止する開口１３ａが設けられた脚部１３と、から取付具１０が構成される。取付具１０の掛止片１１ａをかご台車の枠部に掛止し、開口１３ａに棚板に設けられる係止片を係止することで、棚板をかご台車の枠部に取付具１０の長さに応じた高さで取り付けることができる。【選択図】図３
2015093647.tif 000002
【特許請求の範囲】
【請求項１】
かご台車の枠部に棚板を取り付ける取付具であって、
前記枠部に掛止する掛止部材が設けられた第１部と、
前記棚板に設けられた係止部材が係止する開口が設けられた第２部と、
を備えることを特徴とする、取付具。
【請求項２】
１つのみの前記第１部と１つのみの前記第２部を備え、
前記第１部の横幅及び前記第２部の横幅が１００ｍｍ以下であることを特徴とする、請求項１に記載の取付具。
【請求項３】
前記第１部と前記第２部とが別部材によって構成され、
前記掛止部材と前記開口との距離を調整しつつ前記第１部と前記第２部とを相互に固定する長さ調整機構を備えることを特徴とする、請求項２に記載の取付具。
【請求項４】
前記長さ調整機構は、前記第１部と前記第２部の一方に設けられた係止片と、前記第１部と前記第２部の他方に設けられた前記係止片が係止する複数の孔部又は溝部からなることを特徴とする、請求項３に記載の取付具。
【請求項５】
前記長さ調整機構は、前記第１部と前記第２部の双方に設けられた中央溝部を有し、２つの前記中央溝部を貫通するボルトと前記ボルトに嵌合するナットとによって前記第１部と前記第２部とを押圧固定するものであることを特徴とする、請求項３に記載の取付具。
【請求項６】
前記掛止部材の縦幅及び横幅は、それぞれ、前記開口の縦幅及び横幅より小さいことを特徴とする、請求項２〜５のいずれか１項に記載の取付具。
【請求項７】
耐荷重が２５ｋｇ以上であることを特徴とする、請求項２〜６のいずれか１項に記載の取付具。
【発明の詳細な説明】
【技術分野】
【０００１】
本発明は、かご台車の枠部に棚板を取り付ける取付具に関する。
【背景技術】
【０００２】
荷物を運搬する際に、４つのキャスターを有する台車と、台車上に立設される背枠と背枠を挟む一対の側枠とを有する枠部と、から構成されるかご台車が利用される（例えば特許文献１参照）。
【０００３】
かご台車は、枠部に棚板を架けることで多段式の台車に構成することもできる。こうすることで、例えば、かご台車の全体の高さの３分の１の高さの荷物を３段の台車に積載して短時間で運搬することができる。また、大きい或いは重い荷物を下段に、小さい或いは軽い荷物を上段に積むなど、大きさ、種類等に応じて荷物を異なる段に積むことができる。しかし、棚板を取り付ける高さが、枠部を構成する梁の高さに制限されるという問題がある。
【先行技術文献】
【特許文献】
【０００４】
【特許文献１】特開２０１１−１８３９３２号公報
【発明の概要】
【発明が解決しようとする課題】
【０００５】
本発明は、棚板をかご台車の枠部に任意の高さで取り付けることのできる取付具を提供することを課題とする。
【課題を解決するための手段】
【０００６】
本発明は、かご台車の枠部に棚板を取り付ける取付具であって、前記枠部に掛止する掛止部材が設けられた第１部と、前記棚板に設けられた係止部材が係止する開口が設けられた第２部と、を備えることを特徴とする取付具である。
【０００７】
これによれば、取付具の第１部をかご台車の枠部に掛止し、第２部の開口に棚板に設けられた係止部材を係止することで、棚板をかご台車の枠部に取付具の長さに応じた高さで取り付けることができる。
【０００８】
また、本発明の取付具は、１つのみの前記第１部と１つのみの前記第２部を備え、  前記第１部の横幅及び前記第２部の横幅が１００ｍｍ以下であることを特徴とする。
【０００９】
これによれば、取付具が小型となり、運搬が容易である。
【００１０】
また、本発明の取付具は、前記第１部と前記第２部とが別部材によって構成され、前記掛止部材と前記開口との距離を調整しつつ前記第１部と前記第２部とを相互に固定する長さ調整機構を備えることを特徴とする。
【００１１】
長さ調整機構によって、掛止部材と前記開口との距離を調整することができる。開口の高さ（かご台車の枠部を構成する梁から下方への距離：「取付具の長さ」とも言う。）を調整でき、棚板を取り付ける高さが調整できる。
【００１２】
また、本発明の取付具は、前記長さ調整機構は、前記第１部と前記第２部の一方に設けられた係止片と、前記第１部と前記第２部の他方に設けられた前記係止片が係止する複数の孔部又は溝部からなることを特徴とする。
【００１３】
これによれば、前記第１部と前記第２部との一方に設けられた係止片を前記第１部と前記第２部との他方に設けられた複数の孔部又は溝部のいずれかに係止することで、複数の孔部又は溝部が並設された方向に取付具の長さを調整することができる。
【００１４】
また、本発明の取付具は、前記長さ調整機構は、前記第１部と前記第２部の双方に設けられた中央溝部を有し、２つの前記中央溝部を貫通するボルトと前記ボルトに嵌合するナットとによって前記第１部と前記第２部とを押圧固定するものであることを特徴とする。
【００１５】
これによれば、孔部又は溝部の位置に拘束されずに、取付具の長さを微細に調整することができる。
【００１６】
また、本発明の取付具は、前記掛止部材の縦幅及び横幅は、それぞれ、前記開口の縦幅及び横幅より小さいことを特徴とする。
【００１７】
これによれば、２つの取付具を互いに掛止部材を他方の取付具の開口内に配して重ねることができ、それにより複数の取付具を掛止部材を露出することなく効率良く収容することが可能となる。
【００１８】
また、本発明の取付具は、耐荷重が２５ｋｇ以上であることを特徴とする。
【００１９】
これによれば、十分な耐荷重の取付具が提供される。なお、標準的なかご台車の棚板は、４つのフック（係止片）を有し耐荷重が１００ｋｇである。１つのフックを支持する（開口にフックを掛止する）取付具１つにつき２５ｋｇの耐荷重となる。
【発明の効果】
【００２０】
本発明の支持具によれば、棚板をかご台車の枠部に任意の高さで取り付けることが可能となる。
【図面の簡単な説明】
【００２１】
【図１】図１は、かご台車の構成を示す図である。
【図２】図２は、棚板の構成を示す図である。
【図３】図３は、取付具の構成を示す図である。
【図４】図４は、取付具を用いて棚板をかご台車の枠部に取付けた状態を示す図である。
【図５】図５は、取付具の変形構成例を示す図である。
【図６】図６は、取付具の変形構成例を示す図である。
【図７】図７は、取付具の変形構成例を示す図である。
【図８】図８は、大型の取付具の構成を示す図である。
【発明を実施するための形態】
【００２２】
以下、本発明の一実施形態を、図１〜図４を用いて説明する。
【００２３】
図１に、本実施形態に係る取付具１０が用いられるかご台車２０の構成を示す。図１では、取付具１０を用いて棚板２５が取り付けられた状態が示されている。かご台車２０は、台車２１及び枠部２２から構成される。
【００２４】
台車２１は、例えば金属（鉄等）、樹脂等から構成される矩形の板状部材であり、その底面の４つの角部にはそれぞれキャスター２１ａが固定されている。４つのキャスターのうち少なくとも前側２つのキャスターは回動自在に構成され、台車の進行方向にあわせてその向きを変えることができる。
【００２５】
枠部２２は、台車２１上に立設される背枠２３と背枠２３を挟む一対の側枠２４とを含む。背枠２３（側枠２４）は、金属製の管状部材が逆Ｕ字状に屈曲して形成されたフレームと、格子状に組まれてフレームの内側に架かる各３つの縦梁及び横梁（２つの縦梁及び３つの横梁）と、フレーム及び縦梁の下部と台車２１の背部（側部）とを固定するＬ字状の固定部材と、から構成される。なお、背枠２３（側枠２４）の幅は、台車の背部（側部）の幅に等しい。フレーム、縦梁、横梁、及び固定部材は溶接されて相互に固定されている。背枠２３と一対の側枠２４は、隣接するフレームを固定部材２２ａを用いて固定することで、前面が開放するかご状に構成される。
【００２６】
図２に、かご台車２０に取付可能な棚板２５の構成を示す。棚板２５は、例えば金属、樹脂等から構成される矩形の板状部材であり、その大きさは台車２１の大きさに等しい。棚板２５の長手方向の両側面には、先端が下方に屈曲する例えば金属製の突片（係止片）２５ａが各２つ固定されている。
【００２７】
図３に、本実施形態に係る取付具１０の構成を示す。取付具１０は、頭部１１及び脚部１３を有する。頭部１１は、逆三角形状を有し、その底辺（上辺）の両端近傍から上方に延び、一側に湾曲して２つの掛止片１１ａを形成している。掛止片１１ａの湾曲率は枠部２２（側枠２４）を構成する横梁２４ａの径に等しい又は若干大きく、その長さは（上端から下端までの長さ）は横梁２４ａの径より大きいものとする。これにより、掛止片１１ａを横梁２４ａに外れることなく掛けることができる。脚部１３は、頭部１１から下方に延設され、その先端（下端）に略矩形状の開口１３ａを有する受部が形成されている。開口１３ａの横幅は、棚板２５の係止片２５ａの幅より大きく、係止片２５ａの先端を開口１３ａに通すことができる。
【００２８】
なお、取付具１０は、例えば金属、樹脂等を用いて頭部１１及び脚部１３が一体形成されているものとする。これにより、例えば耐荷重１００ｋｇの棚板２５をかご台車２０に支持することができる。また、掛止片１１ａの数は２に限らず、棚板２５を支持する上で必要な強度が得られる十分な数、取付具１０に設けることとしてもよい。
【００２９】
また、開口１３ａの横幅は２つの掛止片１１ａの横幅（一側の掛止片１１ａの一側端から他側の掛止片１１ａの他側端までの距離）より大きく、開口１３ａの縦幅は２つの掛止片１１ａの縦幅（上端から下端までの長さ）より大きい。これにより、２つの取付具１０を互いに２つの掛止片１１ａを他方の取付具１０の開口１３ａ内に配して重ねることで、取付具１０を掛止片１１ａを露出することなく効率良く収容することができる。
【００３０】
取付具１０を用いて棚板２５をかご台車２０に取るつける方法について説明する。
【００３１】
図４に示すように、棚板２５の係止片２５ａを取付具１０（脚部１３）の開口１３ａに通す。このとき、取付具１０（頭部１１）の掛止片１１ａは外側に向けられている。同様に、残りの係止片２５ａもそれぞれ別の取付具１０の開口１３ａに通す。これにより、４つの係止片２５ａがそれぞれ取付具１０を係止する。次に、４つの取付具１０の掛止片１１ａを側枠２４を構成する横梁２４ａに掛ける。すなわち、図１に示すように棚板２５の一側（他側）の２つの係止片２５ａが係止する２つの取付具１０を一側（他側）の側枠２４の横梁２４ａに掛ける。それにより、棚板２５をかご台車２０の枠部２２に、取付具１０を掛ける横梁２４ａの高さ及び取付具１０の長さに応じた高さで取り付けることができる。
【００３２】
以上詳細に説明したように、本実施形態の取付具１０は、かご台車２０の枠部２２（側枠２４の横梁２４ａ）に掛止する掛止片１１ａが設けられた頭部１１と、棚板２５に設けられた係止片２５ａが係止する開口１３ａが設けられた脚部１３と、から構成される。それにより、取付具１０の掛止片１１ａをかご台車２０の枠部２２（横梁２４ａ）に掛止し、開口１３ａに棚板２５に設けられた係止片２５ａを係止することで、棚板２５をかご台車２０の枠部２２に取付具１０の長さに応じた高さで取り付けることができる。
【００３３】
なお、棚板２５の側面に固定されている係止片２５ａは、先端が下方に屈曲する突片に限らず、取付具１０の開口１３ａに通り、取付具１０（脚部１３）を係止する構成であれば、任意の構成を採用することができる。
【００３４】
また、棚板２５の長手方向の側面に限らず短手方向の側面、特に背枠側の側面に係止片２５ａを設け、追加の取付具１０を用いて背枠２３の横梁に掛けることとしてもよい。また、係止片２５ａを設ける位置及び数も、棚板２５を安定して枠部２２に取り付けることができる限りにおいて任意に定めることができる。
【００３５】
また、取付具１０の頭部１１と脚部１３を別部材として構成してもよい。図５に、取付具１０’の変形構成例を示す。（Ａ）は正面図、（Ｂ）は側面図である。取付具１０’は、上述の取付具１０と同様の掛止片１１ａを有する頭部１１’と、同様の開口１３ａが設けられた脚部１３’と、から構成される。頭部１１’は、その下方に延びる胴部を有し、その胴部には矩形状の開口１１ｂが複数並設されている。（Ａ）に示す正面図において開口１１ｂが脚部１３’によって隠れているが、（Ｂ）に示す側面図に示すとおり複数の開口１１ｂが設けられている。脚部１３’は、その上方に延びる胴部を有し、その先端には開口１１ｂに係止する係止片１３ｂが形成されている。それにより、脚部１３’の係止片１３ｂを頭部１１’に並設された複数の開口１１ｂのいずれかに係止することで、取付具１０の長さを調整することができる。なお、頭部１１’に係止片、脚部１３’に複数の開口を設けることとしてもよい。
【００３６】
図５に示した取付具１０’の変形構成例は、他の形態も可能である。例えば、図６のように複数の開口１１ｂを一体化して１つの開口１１ｃとしてもよい。（図６（Ａ）は、開口１１ｃの形状を示すため、頭部１１’のみを表したものである。）
【００３７】
また、図７のように、溝１１ｄ及び１３ｄを設け、ボルト１４ａとナット１４ｂによって固定してもよい。この場合、例えば１ｍｍ単位の詳細な長さ調整が可能である。
【００３８】
本発明の技術的範囲は、図８のように、大型の（２つの頭部と１つの脚部の）取付具をも含む。
【産業上の利用可能性】
【００３９】
本発明の支持具は、棚板をかご台車の枠部に任意の高さで取り付けるのに好適である。多くのかご台車提供業者及びかご台車使用者による利用が考えられる。
【符号の説明】
【００４０】
１０…取付具
１１…頭部
１１ａ…掛止片
１１ｂ…開口
１３…脚部
１３ａ…係止片
１３ｂ…開口
２０…かご台車
２１…台車
２１ａ…キャスター
２２…枠部
２２ａ…固定部材
２３…背枠
２４…側枠
２４ａ…横梁
２５…棚板
２５ａ…係止片
【図１】
2015093647.tif 000003
【図２】
2015093647.tif 000004
【図３】
2015093647.tif 000005
【図４】
2015093647.tif 000006
【図５】
2015093647.tif 000007
【図６】
2015093647.tif 000008
【図７】
2015093647.tif 000009
【図８】
2015093647.tif 000010